(57)【要約】      （修正有）【課題】湯を注いで緑茶、烏龍茶等を簡単に作れると共に、お茶をそのまま持ち運ぶことができる茶こし付きタンブラーを提供する。【解決手段】上部に開口部を有するタンブラー本体１３と、前記開口部に取り付ける蓋体１４と、該蓋体１４の下部に垂下する茶こし部１５とから構成される茶こし付きタンブラー１１であって、タンブラー本体１３は、外周部材１６と内周部材１７との二重構造に形成され、蓋体１４は、前記開口部の周縁に係合する係合蓋２５と、該係合蓋２５の飲み口に対して開閉自在な摘み部材２７と、該摘み部材２７に設けられ前記飲み口をシールするシール部材２８とを有し、茶こし部１５は、係合蓋２５に設けた凹部３８に保持されるアーム部３９と、該アーム部３９の下端に形成される茶葉収納部４０と、該茶葉収納部４０を閉じる閉じ蓋とを有する茶こし付きタンブラー１１である。【選択図】図１
0003159218.tif 000002
【実用新案登録請求の範囲】
【請求項１】
上部に開口部を有するタンブラー本体と、前記開口部に取り付ける蓋体と、該蓋体の下部に垂下する茶こし部とから構成される茶こし付きタンブラーであって、
前記タンブラー本体は、外周部材と内周部材との二重構造に形成され、
前記蓋体は、前記開口部の周縁に係合する係合蓋と、該係合蓋の飲み口に対して開閉自在な摘み部材と、該摘み部材に設けられ前記飲み口をシールするシール部材とを有し、
前記茶こし部は、前記係合蓋に設けた凹部に保持されるアーム部と、該アーム部の下端に形成される茶葉収納部と、該茶葉収納部を閉じる閉じ蓋とを有すること
を特徴とする茶こし付きタンブラー。
【請求項２】
前記外周部材の底板上面に設けられる下螺合部と、前記内周部材の底板下面に設けられる上螺合部とを螺合して前記タンブラー本体を形成すること
を特徴とする請求項１に記載の茶こし付きタンブラー。
【請求項３】
前記アーム部は、前記凹部に対して挿着及び取外しが自在に行えること
を特徴とする請求項１に記載の茶こし付きタンブラー。
【考案の詳細な説明】
【技術分野】
【０００１】
本考案は、茶こし付きタンブラーに関するものであり、更に詳しくは、湯を注いで緑茶、紅茶、烏龍茶等を簡単に作れると共に、お茶をそのまま持ち運ぶことができる茶こし付きタンブラーに関するものである。
【背景技術】
【０００２】
従来、茶こし付きの持ち運び可能な容器としては、次のような構成の茶こし付き水筒が知られている。この水筒は、上部に開口部を有する水筒本体と、開口部に螺着する内蓋とを備えており、内蓋の下部に茶こし用の網が設けられた構成である（特許文献１参照）。
【０００３】
このような構成の茶こし付き水筒は、茶葉を入れた網を内蓋の下部にセットして、この内蓋を湯が満たされた水筒の開口部に螺着して使用する。網の中の茶葉は湯に漬かってお茶が作られることとなり、このお茶入りの水筒をそのまま持ち運ぶことができる。
【先行技術文献】
【特許文献】
【０００４】
【特許文献１】特開２００４−３１３７１８号公報
【考案の概要】
【考案が解決しようとする課題】
【０００５】
この従来例の茶こし付き水筒においては、お茶を飲むときはコップを用意して、そのコップにお茶を注がなくてははならない。また、コップのお茶を不注意にこぼすおそれもあるという欠点を有している。
【０００６】
また、内蓋は水筒の開口部に螺着するので、内蓋をクルクル回して施蓋及び開蓋を行うこととなり、この操作が煩わしいという欠点を有している。
【０００７】
更に、茶こし用の網は内蓋の下部に設けられており、水筒の中に湯が満タンの状態に満たされていなければ茶葉が湯に漬からないのでお茶が作れないという欠点も有している。
【０００８】
従って、従来例における茶こし付き水筒においては、コップが無くともお茶が飲めるようにすることと、蓋の開閉操作を簡単にすることと、湯を満タンにしなくてもお茶が作れるようにすることとに解決しなければならない課題を有している。
【課題を解決するための手段】
【０００９】
前記従来例の課題を解決するための本考案の要旨は、上部に開口部を有するタンブラー本体と、前記開口部に取り付ける蓋体と、該蓋体の下部に垂下する茶こし部とから構成される茶こし付きタンブラーであって、前記タンブラー本体は、外周部材と内周部材との二重構造に形成され、前記蓋体は、前記開口部の周縁に係合する係合蓋と、該係合蓋の飲み口に対して開閉自在な摘み部材と、該摘み部材に設けられ前記飲み口をシールするシール部材とを有し、前記茶こし部は、前記係合蓋に設けた凹部に保持されるアーム部と、該アーム部の下端に形成される茶葉収納部と、該茶葉収納部を閉じる閉じ蓋とを有することである。
【００１０】
また、前記外周部材の底板上面に設けられる下螺合部と、前記内周部材の底板下面に設けられる上螺合部とを螺合して前記タンブラー本体を形成すること、；
前記アーム部は、前記凹部に対して挿着及び取外しが自在に行えること、；
を含むものである。
【考案の効果】
【００１１】
本考案に係る茶こし付きタンブラーによれば、茶葉収納部に茶葉を入れてからアーム部の先端部を凹部に挿着し、湯を入れたタンブラー本体の開口部に蓋体を取り付ければ、茶葉収納部の茶葉が湯に漬かってお茶が作られることとなる。また、お茶が入ったタンブラーを持ち運ぶことができる。
摘み部材を開成すれば、飲み口から直接お茶が飲めるので便利である。摘み部材を閉成すれば、シール部材が飲み口をシールするのでお茶がこぼれない。そして、摘み部材の開閉操作も極めて簡単である。
また、茶葉収納部は蓋体の下部にアーム部を介して垂下するので、タンブラー本体に湯を満タンに入れなくても茶葉収納部が湯に漬かってお茶が作れる。つまり、必要に応じて適量の湯をタンブラー本体に入れて、適量のお茶を作ることが可能である。
更に、タンブラー本体は、外周部材と内周部材との二重構造に形成されるので、保温効果が期待できると共に、タンブラー本体が熱くなり過ぎないという種々の優れた効果を奏する。
【００１２】
また、前記外周部材の底板上面に設けられる下螺合部と、前記内周部材の底板下面に設けられる上螺合部とを螺合して前記タンブラー本体を形成することによって、タンブラー本体の二重構造が強固に維持されるという優れた効果を奏する。
【００１３】
そして、前記アーム部は、前記凹部に対して挿着及び取外しが自在に行えることによって、取り外した茶こし部の茶葉収納部に茶葉を入れてから、アーム部の先端部を凹部に挿着する手順で行う。茶こし部を取り外せば、一般のタンブラーとして使用することもできるという優れた効果を奏する。
【図面の簡単な説明】
【００１４】
【図１】本考案に係る茶こし付きタンブラー１１の縦断面図である。
【図２】本考案に係る茶こし付きタンブラー１１を蓋体１４と茶こし部１５とタンブラー本体１３とに分離して示した斜視図である。
【図３】本考案に係る茶こし付きタンブラー１１の蓋体１４とその近傍を拡大して示した縦断面図である。
【図４】タンブラー本体１３の底部を拡大して示した縦断面図である。
【図５】摘み部材２７を開成した状態の蓋体１４の平面図である。
【図６】茶こし部１５の斜視図である。
【考案を実施するための形態】
【００１５】
次に、本考案の実施の形態について図面を参照しながら説明する。まず、図１及び図２において、符号１１は茶こし付きタンブラーを示し、この茶こし付きタンブラー１１は、上部に開口部１２を有するタンブラー本体１３と、開口部１２に取り付ける蓋体１４と、蓋体１４の下部に垂下する茶こし部１５とから構成される。
【００１６】
タンブラー本体１３は、大きめなコップ形を呈し、外側の外周部材１６と内側の内周部材１７との二重構造に形成される。外周部材１６と内周部材１７との間には隙間部１８が存在し、この隙間部１８が空気の層として介在することとなる。従って、タンブラー本体１３に入れた湯の保温効果が期待できると共に、タンブラー本体１３の外周面（外周部材１６）が熱くなり過ぎない。
【００１７】
外周部材１６の上部は、図２及び図３に示すように、肉薄の肉薄部１９が周縁に沿って形成される。また、内周部材１７の上部近傍には、図３に示すように断面Ｌ字状の外周部２０が外周に沿って連設されており、この外周部２０の内側には凹溝２９が形成される。この凹溝２９に肉薄部１９が嵌入している。
【００１８】
内周部材１７の上部は、図２に示すように、外周縁部（周縁）３０が形成され、この外周縁部３０の表面にＬ字状部３１が突出形成している。
【００１９】
次に、タンブラー本体１３の底部の構造の一例について説明する。図４に示すように、外周部材１６の底板２１の上面には下螺合部２２が設けられている。また、内周部材１７の底板２３の下面には上螺合部２４が設けられている。外周部材１６の内側に内周部材１７を重ね合わせて、それぞれを螺合方向に回すことによって、下螺合部２２と上螺合部２４とか螺合して、タンブラー本体１３の二重構造が維持される。なお、タンブラー本体１３の底部は、必ずしも下螺合部２２と上螺合部２４とを設ける必要はない。
【００２０】
蓋体１４は、図２に示すように、開口部１２の外周縁部３０に係合する係合蓋２５と、この係合蓋２５の飲み口２６に対して開閉自在な摘み部材２７と、この摘み部材２７に設けられて飲み口２６をシールするシール部材２８とを有する。
【００２１】
係合蓋２５は、略円盤状に形成され、外側に外周部３２を有し、この外周部３２の内周面に図示しない係止部が突出形成している。係合蓋２５の外周部３２を内周部材１７の外周縁部３０に被せて回転させると、前記係止部（図示せず）とＬ字状部３１とか嵌合する仕組みになっている。
【００２２】
外周部３２の内側は、図２及び図５に示すように、天板部３６が連設しており、この天板部３６に飲み口２６が形成されている。また、係合蓋２５（天板部３６）の下部には、図３に示すように、凹部３８が形成されており、この凹部３８に茶こし部１５のアーム部３９の先端部３９ａが挿着される。
【００２３】
摘み部材２７は、ヒンジ部３３を中心にして回動自在に形成されており、飲み口２６に対して開成及び閉成する。摘み部材２７の先端部には屈曲したコ字状部３４が形成されており、摘み部材２７の閉成時にはコ字状部３４の突片３５が外周部３２の上部に係止して閉成状態が維持される（図１参照）。この閉成状態においては、摘み部材２７の下部に取り付けられたシール部材２８が飲み口２６をシールするのでお茶が漏れない。
【００２４】
係合蓋２５の外周部３２の内部には、図２及び図３に示すように、リング状のパッキン材３７が収納されており、このパッキン材３７の存在によって、タンブラー本体１３の上部からお茶が漏れない。
【００２５】
茶こし部１５は、図６に示すように、適宜長さのアーム部３９と、このアーム部３９の下端に形成される半球状の茶葉収納部４０と、この茶葉収納部４０を閉じる半球状の閉じ蓋４１とを有し、アーム部３９の先端部３９ａを凹部３８に挿着する。
【００２６】
アーム部３９は、その先端部３９ａを凹部３９に対して挿着及び取外しが自在に行えるので、取り外した茶こし部１５の茶葉収納部４０に茶葉を入れてから、アーム部３９の先端部３９ａを凹部３９に挿着する手順で行う。また、茶こし部１５を取り外せば、一般のタンブラーとして使用することもできる。
【００２７】
茶葉収納部４０及び閉じ蓋４１には、多数の小孔４２が形成されており、茶葉収納部４０を湯に漬けると、内部に湯が浸透してお茶が作られる。また、茶葉収納部４０はアーム部３９を介して適宜長さ垂下するので、タンブラー本体１３に湯を満タンに入れなくても茶葉収納部４０が湯に漬かることとなる。つまり、必要に応じて適量の湯をタンブラー本体１３に入れて、適量のお茶を作ることが可能である。
【００２８】
以上のように構成される茶こし付きタンブラー１１は、茶葉収納部４０に茶葉を入れて、アーム部３９の先端部３９ａを凹部３８に挿着し、湯を入れたタンブラー本体１３の開口部１２に蓋体１４を取り付ければ、茶葉が湯に漬かってお茶が作られる。また、お茶が入ったタンブラー１１を自由に持ち運ぶことも可能である。
【００２９】
摘み部材２７を回動して開成すれば、飲み口２６から直接お茶が飲める。摘み部材２７を回動して閉成すれば、シール部材２８が飲み口２６をシールするのでお茶がこぼれない。摘み部材２７の開閉操作は極めて簡単である。
【符号の説明】
【００３０】
１１  茶こし付きタンブラー
１２  開口部
１３  タンブラー本体
１４  蓋体
１５  茶こし部
１６  外周部材
１７  内周部材
１８  隙間部
１９  肉薄部
２０  外周部
２１  底板
２２  下螺合部
２３  底板
２４  上螺合部
２５  係合蓋
２６  飲み口
２７  摘み部材
２８  シール部材
２９  凹溝
３０  外周縁部（周縁）
３１  Ｌ字状部
３２  外周部
３３  ヒンジ部
３４  コ字状部
３５  突片
３６  天板部
３７  パッキン材
３８  凹部
３９  アーム部
３９ａ  先端部
４０  茶葉収納部
４１  閉じ蓋
４２  小孔
【図１】
0003159218.tif 000003
【図２】
0003159218.tif 000004
【図３】
0003159218.tif 000005
【図４】
0003159218.tif 000006
【図５】
0003159218.tif 000007
【図６】
0003159218.tif 000008